(57)【要約】【課題】  プラスチックなどの廃棄物処理に問題を生じる材料を使用せず、それにもかかわらず強度を保ち、組み立て性と汎用性を改善して安価に製作できる紙製パレットを提供することが課題である。【解決手段】  対向する一対の端縁または端縁近傍の互いに対角位置に切り込みを設けて折り起こすと共に折り曲げ、桁形成部と桁補強部を形成した段ボール又は紙製品からなるシートを互いに桁形成部が９０度ずれるよう重ね合わせ、下側シートにおける前記桁形成部を形成するための切り込みを設けた上部を延設し、前記桁形成部で形成された桁の上部を保護するようにして紙製パレットを作成した。【選択図】      図２
2004352372.tif 000002
【特許請求の範囲】
【請求項１】
全部又は大部分が段ボール又は紙製品からなり桁部によって製品載置部を支持する紙製パレット本体であって、該パレット本体が複数枚のシートの重ね合わせによって形成された紙製パレットにおいて、
前記複数枚のシートを夫々パレット本体と対応する中央部位を挟んで対向する延在部分に切り込みを設けて形成した片を折り起こすと共に折り曲げて桁部を形成する桁形成部と該桁部の少なくとも１面の桁補強を行う桁補強部とを形成し、該複数枚のシートを互いに桁形成部が９０度角度変位した位置で重ね合わせ、一のシートに形成した桁形成部と、他のシートに設けられ、折り曲げて桁部を形成する桁形成部とにより前記パレット本体に対応する桁部を形成したことを特徴とする紙製パレット。
【請求項２】
前記夫々のシート中央部位の対辺に沿って切り込み線が入れられて該切り込み線に沿って桁形成部を形成し、該桁形成部の片を折曲げて該辺の一側偶部に夫々桁部を設けるとともに、該桁部が、対辺の対角線上に位置するように構成したことを特徴とする請求項１に記載した紙製パレット。
【請求項３】
前記辺の他の偶部に、他のシートの桁形成部により形成された桁部の桁補強を行う桁補強部が形成されていることを特徴とする請求項２に記載した紙製パレット。
【発明の詳細な説明】
【技術分野】
【０００１】
本発明は、全体、又は大部分を段ボールや紙製品で構成され、物品を運搬、保管する際に使用する紙製パレットに関するものである。
【背景技術】
【０００２】
従来から、貨物積載用として木製の平パレットが使用されている。しかしながら、近年の自然保護や木材の使用制限の問題、また、使用する材料の固定に金属製の釘が使用される関係で重量が嵩む問題、表面が荒れた木片や釘などで怪我をする危険性などが指摘され、軽量化やコスト低減、廃棄処理及び再利用性に対する要請が高くなってきている。
【０００３】
また、特殊な用途や輸出に使用される木製パレットでは、木材中の水分によって製品の価値が低下することがあり、木材中に寄生する虫や雑菌を殺すために薫蒸処理などが必要な場合もあった。さらにまた木製パレットでは、製品をパレットに積載してトラックなどで運搬する際に路面の凹凸によって生じる振動を減衰する程度が小さいため、緩衝性もあまり期待できなかった。また、現行の木製パレットやプラスチック製パレットは、資源としてリサイクルすることが難しく、破棄する場合にも簡単に処分することが難しかった。
【０００４】
そのため特許文献１には、合紙などをアングル状に成型した天板補強材に、合紙、段ボールシートなどの平板を配設して天板とし、この天板の底板に、別途合紙などで作成した２以上複数の脚桁を平行に接着して作成する紙製パレットが提案されている。また、このように脚桁を接着した場合、耐衝撃性、耐水性に問題が生じる場合があるので特許文献２には、紙製品で上面側及び下面側の両デッキボードを一体に構成したスリーブ状の本体を形成し、この本体により、別途紙製品で作成した桁を包み込むことにより、桁を本体に確実強固に保持すると共に各部で衝撃を吸収することができるようにし、合わせて接着部への水の染み込みの防止を図った紙製パレットが提案されている。
【０００５】
【特許文献１】特開平８−７２８７６号公報
【特許文献２】特開２０００−３３５５７９公報
【発明の開示】
【発明が解決しようとする課題】
【０００６】
しかしながらこれら特許文献１、２に示された紙製パレットは、桁の部分をそれぞれ別ピースとして作成する必要があり、それだけコストが嵩むと共に組み立てのための工数が掛かって生産性の面などに問題があった。また、特許文献１に示された紙製パレットは、フォークの差込口が一方向にしか設けられておらず、汎用性に乏しかった。
【０００７】
そのため本発明においては、プラスチックなどの廃棄物処理に問題を生じる材料を使用せず、それにもかかわらず強度を保ち、組み立て性と汎用性を改善して安価に製作できる紙製パレットを提供することが課題である。
【課題を解決するための手段】
【０００８】
上記課題を解決するため本発明においては、全部又は大部分が段ボール又は紙製品からなり桁部によって製品載置部を支持する紙製パレット本体であって、該パレット本体が複数枚のシートの重ね合わせによって形成された紙製パレットにおいて、
前記複数枚のシートを夫々パレット本体と対応する中央部位を挟んで対向する延在部分に切り込みを設けて形成した片を折り起こすと共に折り曲げて桁部を形成する桁形成部と該桁部の少なくとも１面の桁補強を行う桁補強部を形成し、該複数枚のシートを互いに桁形成部が９０度変位するよう重ね合わせ、一のシートに形成した桁形成部と、他のシートに設けられ、折り曲げて桁部を形成する桁形成部とにより前記パレット本体に対応する桁部を形成したことを特徴とする。
【０００９】
この場合に、前記夫々のシート中央部位の対辺に沿って切り込み線が入れられて該切り込み線に沿って桁形成部を形成し、該桁形成部の片を折曲げて該辺の一側偶部に夫々桁部を設けるとともに、該桁部が、対辺の対角線上に位置するように構成すれば、パレット本体の４つの各偶に夫々桁部が位置することになる。
又前記辺の他の偶部に他のシートの桁形成部により形成された桁部の桁補強を行う桁補強部が形成されば桁部の強度が向上する。
【発明の効果】
【００１０】
本発明に係る紙製パレットは、対向する一対の端縁または端縁近傍の互いに対角位置に切り込みを設けて折り起こすと共に折り曲げ、桁形成部と桁補強部を形成した段ボール又は紙製品からなるシートを互いに桁形成部が９０度ずれるよう重ね合わせ、下側シートの切り込みを設けた上部を延設して前記桁形成部で形成された桁の上部を保護するようにしたから、４隅の桁部は重ね合わせた２枚の紙シートによって形成されて別途作成する必要が無く、それだけ材料費が節約できると共に組み立ても容易で安価に製作でき、プラスチックなどを用いた場合の廃棄物処理の問題も生じない。また、桁形成部は互いに９０度ずれているから各シートの端縁を有効に利用でき、かつ、それぞれの桁形成部で桁を形成した後の穴はフォークの差込口として使用することができるので、四方からフォークを差し込むことが可能な汎用性に富んだパレットを提供できる。
【発明を実施するための最良の形態】
【００１１】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１２】
図１は本発明の実施例に係る紙製パレットで、パレット本体上面に製品載置部が固定されている状態を示した完成図、図２は図１より製品載置部を取り付ける前の紙製パレット本体を示し、特に該紙製パレット本体の組み立て方法を説明するための図、図３、図４は前記紙製パレット本体を形成する際に下側となる紙シートと上側となる紙シート夫々の切り込みと折り畳みの位置を説明するための図である。  
図５は、前記製品載置部を作成するための紙シートの切り込みと折り畳みの位置を説明するための図である。
【００１３】
本発明の実施例に用いる下側紙シート１は図３に示すように、ハンドフォークのコロが入る開口１０を中央に有し紙製パレット本体１００Ａと対応する形状の紙シート中央部位１Ａの左右長手方向（目方向１５左右）両側の対辺の延在部分に夫々折れ線若しくは切り込みにより桁形成部１１を形成するための第１の幅域１Ｂ、１Ｂと、その外側の延在部に梁部１２に対応する幅に設定した第２の幅域１Ｃ、１Ｃが、更に第２の幅域の外側の延在部分に桁補強部１３、１４を形成する第３の幅域１Ｄ、１Ｄが夫々左右対称に配置されている。
【００１４】
そして第３の幅域１Ｄは、夫々中央を切り欠く１Ｄ１とともに、その切り欠き位置より上下に切り込み線１Ｄ２を入れ、更にその切り込み線１Ｄ２止設位置１Ｄ３より直角に折れ線を入れることにより、前記第３の幅域１Ｄの上側と下側、即ち下側紙シート１の４偶にそれぞれ第１の桁補強部１３の片１３１〜１３２、１３１〜１３２、第２の桁補強部１４の１４１〜１４２、１４１〜１４２が形成される。
第２の幅域１Ｃは、隣接する幅域間の境界線に沿って上下に平行に折線（点線）を入れて夫々下側紙シート１と上側紙シート２との各偶に設けた桁形成部１１及び２１の上面を隠蔽する梁として形成される。
第１の幅域１Ｂは、フォークリフトのフォーク部を入れる開口に対応する片１１１〜１１４間を上向きコの字状に切り込み線を入れて片１１１と補強片としての片１１６間を分離するとともに 片１１１〜１１４と１１５とは折線を介して連接させる。
【００１５】
この結果、紙製パレット本体１００Ａの隅の対角上に桁を形成する桁形成部１１と、その桁を補強する第１の桁補強部１３、及び上側紙シート２の隅の対角上に桁を形成する桁形成部２１で形成される桁を補強する第２の桁補強部１４と、ハンドフォークのコロが入る開口１０を有し、それぞれの桁形成部１１、第１及び第２の桁補強部１３、１４は、実線部に切れ込みを入れて点線で示したところで折り曲げて形成することが出来る。
上側紙シート２は、図４に示すように、ハンドフォークのコロが入る開口２０を中央に有しパレット本体１００Ａ形状と対応するシート中央方形部位２Ａを下側紙シート１に対し９０度変位して形成し、該方形部位２Ａの上下長手方向（目方向２３上下）両側の対辺の延設部分に夫々折れ線とフォークリフトのフォーク部を入れる開口９に対応するＬ字状切り込み溝２Ｂにより桁形成部２１を形成する片２１１〜２１４が対角線の対偶位置に形成され、又桁形成部２１を形成する片２１４との間は切り込み溝２Ｂにより分離されて第３の桁補強部２２が形成される。即ちシート中央部位２Ａを挟んでその両側に位置する一対の第３の桁補強部２２と桁形成部２１は回転対称位置の対角線の対偶位置に形成される。
この結果上側紙シート２の中央方形部位２Ａに対して対向した辺における回転対称となる一隅部に一対の前記桁形成部２１、２１と、前記辺における他の隅部に一対の桁補強部２２、２２が設けられることになる。
【００１６】
この結果紙製パレット本体１００Ａの隅の対角上に桁を形成する桁形成部２１と、下側紙シート１の桁形成部１１で形成される桁を補強する第３の桁補強部２２と、ハンドフォークのコロが入る開口２０とを有し、それぞれの桁形成部２１は、切れ込み線としての実践部に沿って若しくは点線で示した折り曲げ線に沿って折り曲げる。また、図５に示した製品載置用紙シート３も実線部に切れ込みを入れて点線で示した４辺の壁３０、３１を起立させたところで折り曲げ、図１に示したように接続部３２を介してワイヤ６で互いの壁３０、３１をつなぎ、製品を載置できるように組み立てる。
【００１７】
次に図１に基づいて本発明の紙製パレットの一具体例について説明する。全体として１００で示す紙製パレットは、図中上部に箱状に形成された製品載置部１００Ｂと、この製品載置部１００Ｂを載置するためのパレット本体１００Ａからなる。
図中１は本発明の実施例に係る紙製パレット本体１００Ａにおける下側となる下側紙シート、２は下側紙シート１に載せる上側紙シート、３はこの上側と下側の紙シート１、２で構成された紙製パレット本体１００Ａ上に製品を載置する製品載置ボードを形成する製品載置用紙シートで、この製品載置用ボードは図示した形態だけでなく、載置する製品に応じて種々変更できる。なお、これら紙シート１、２、３は、段ボールや合紙など、ある程度の強度を有する紙製品ならどのようなものを用いてもよいが、段ボールのように軽くて強度があり、かつ、容易に折り曲げられるものが好ましい。図２に示すように、４は下側と上側の紙シート１、２で構成された紙製パレット本体１００Ａの桁部分を補強するための紙管、５は紙管４を固定するための補強用部材で、片５１の両側に片５２，５３が延在しており、片５１はパレット本体上面と、片５２，５３は桁内周壁と接着させて補強を行う。この紙管４、補強用部材５は、製品の重量や水濡れに対する強度が必要な場合に用いる。６は製品載置用紙シート３の４辺の壁３０、３１を起立させたところで側面側に折り曲げで上部開放型の方形製品載置部を形成するときのワイヤ、７はこの製品載置部１００Ｂを下側紙シート１と上側紙シート２で形成した紙製パレット本体１００Ａに固定するためのボクサー、８、９は紙製パレットにおけるフォークリフトのフォーク部を入れる開口で９０度づつ変位させて開口してある。
【００１８】
１０は、本発明の実施例に係る紙製パレット１００に製品を載置してハンドフォークで運搬する際、ハンドフォークのコロの部分を入れる中央開口、１１はそれぞれの片１１１〜１１４を中央方形部位１Ａの対辺に沿って対偶方向即ち、片１１５方向に折り曲げて桁を作ると共に片１１１〜１１４の折曲により開口された開口８をフォークリフトのフォークを差し込む穴とする桁形成部で、分離して起立された下側シート１の桁形成部１１の補強片１１６は後記するように、桁形成部２１の片２１４に接着する。
又梁部１２は下側シート１の桁形成部１１上側シート２の桁形成部２１を上から覆って保護する上面封止部で、その両側に桁形成部１１及び２１の一部となす片１１１、補強片１１６に連接してある。梁部１２の外側には、桁形成部１１で形成される桁を補強する第１の桁補強部１３、上側紙シート２の桁形成部２１で形成される桁を補強する第２の桁補強部１４が位置し、図３に示すように下側紙シート１の４偶にそれぞれ片１３１〜１３２、１３１〜１３２、１４１〜１４２、１４１〜１４２からなり、１３１は下側シート１の桁形成部１１の片１１３に積層され、１３２は桁形成部１１の片１１４に積層されることとなる。又後記するように下側シート１の桁形成部１１の片１１１は上側シートの補強部２２と接着されて、又上側シートの桁形成部２１の片２１４を下側シート１の桁形成部１１に接着する。
【００１９】
この結果上側シートの桁形成部２１の片２１１〜２１３も第２の補強部１４１〜１４２及び補強片１１６に積層され、下側シート１の桁形成部１１の片１１２〜１１４は第１の補強部１３１〜１３２及び第３の補強部２２に積層され、更に１１１と１１５も接合しているために、上下側シートの桁形成部１１及び２１はいずれも３つの周面若しくは４つの周面が補強部１１６、１３１〜１３２、１３１〜１３２、１４１〜１４２、１４１〜１４２及び２２によって二重にされていることとなる。
１５は下側紙シート１が段ボールで構成されているときの目の方向を示す。２０は、本紙製パレット１００に製品を載置してハンドフォークで運搬する際、ハンドフォークのコロの部分を入れる開口、２１はそれぞれの片２１１〜２１４をシート中央方形部位の各辺に沿って対角線方向に９０度づつ折り曲げて桁部を作ると共に、片２１１〜２１４を折り曲げた後にできた開口をフォークリフトのフォークを差し込む穴とする桁形成部が形成でき、２２は下側紙シート１の桁形成部１１で形成される桁片１１１を補強する第３の桁補強部で図４に示すように下側紙シート１の左下偶と右上偶の対角線位置にそれぞれ第３の桁補強部２２、２２として機能する片が形成されている。２３は上側紙シート２が段ボールで構成されているときの目の方向を示す。
また図５において、３２は互いの壁３０、３１を接続する接続部で、３１と３２の間の実線は切断線を示し、破線は折り曲げ線を示す。
なお、これら紙シート１、２における桁形成部１１、２１で形成される桁は、各紙シート１、２の対角関係となる位置に形成されるため、同一要素に同一番号を付すと共に同一添字を付してある。また、各紙シート１、２、３における実線は切断線を示し、破線は折り曲げ線を示す。
【００２０】
本発明の実施例に係る紙製パレット１００は、パレットを作成するために用いられる接着剤やワイヤ、ボクサー又は製品を表示するための接着剤付の樹脂フィルムなどで作られた製品を表示するためのラベルなどそれ以外の部分を、段ボールや合紙などの紙製品のシートを用いてパレットを構成したもので、図２に示すように、下側紙シート１の上に上側紙シート２を、それぞれの紙シート１、２における桁形成部が互いに９０度ずれるように載せ、四隅に桁形成部１１、２１で作成した桁を形成すると共に、必要に応じてこの桁に紙管４などの補強材を矢印の方向に入れて接着して紙製パレット本体１００Ａを構成し、さらに図１のように図５に示す製品載置用紙シート３の４辺の壁３０、３１を起立させて接続部３２を介してワイヤ６で互いの壁３０、３１をつなぎ、製品を載置できるように組み立てた製品載置部１００Ｂをボクサー７にて固定したものである。なお、紙シート１、２が段ボールで構成される場合、前記したようにこの桁形成部を互いに９０度ずらす（回転変位）と共に目の方向１５、２３も互いに９０度ずらす。
【００２１】
そして、この下側紙１の上に前記したように互いの桁形成部が９０度ずれるように、また、これらシート１、２が段ボールの場合、目の方向１５、２３が９０度ずれるように上側紙シート２を載せ、図２に示したように、上側紙シート２の第３の桁補強部２２を垂直に起立させ、その第３の桁補強部２２が桁の内側となるよう下側紙シート１の桁形成部１１２を合わせて接着すると共に、桁形成部１１の片１１１を、桁形成部１１の片１１５と第３の桁補強部２２の間に入れて桁形成部１１５と接着して桁を形成する。
また、上側シート２の桁形成部２１を対向する片の折り曲げて桁を形成し、桁形成部２１の片２１４を下側シート１の桁形成部１１の補強片１１６に接着する。そしてこの段階で夫々の桁部に補強材が必要な場合は、紙管４と補強用部材５をこの桁に入れ、図２に示すように片５１の両側の延在片５２，５３を折り曲げた状態で片５１はパレット本体上面と、片５２，５３は桁内周壁と接着させて補強を行う。こうして補強材４，５が入れられたら、桁の上部に梁部１２を接着し、更に桁補強部１３の片１３１が桁形成部１１の片１１３へ、桁補強部１３の片１３２が桁形成部１１の片１１４へ、桁補強部１４の片１４１が桁形成部２１の片２１２へ、桁補強部１４の片１４２が桁形成部２１の片２１３へ接着される。そして最後に、図１に示すように製品載置用紙シート３にワイヤ６などを打って形成した製品載置部１００Ｂを載せ、製品載置部１００Ｂと紙製パレット本体１００Ａとをボクサー７などで止めると紙製パレット１００が完成する。
【００２２】
このように、互いに桁形成部を９０度ずらせて重ねた下側紙シート１と上側紙シート２における、それぞれの対角部に４つの桁部を形成して紙製パレットを構成することにより、この桁部を形成する桁形成部１１の片１１１〜１１４、及び２１の片２１２〜２１４が有ったところは図１に示したように、８、９として開口となるから、この部分にフォークリフトのフォーク部を入れることができる。また桁部は、重ね合わせた下側紙シート１と上側紙シート２における切り込みを入れた端部を折り曲げるだけで形成できるから、別途作成する場合のような工数を必要とせず、非常に簡単に、そして安価に製作することができる。
【００２３】
また、前記したように各桁の周面は、補強片１１５と桁補強部１３、１４、２２で少なくとも三周面補強されているから、強固な桁とすることができ、また、この下側紙シート１と上側紙シート２が段ボールの場合、その目の方向を９０度ずらせることにより、落下による衝撃や振動に強く、輸送時の強度も得られる紙製パレットを提供できる。また、この桁部に、補強用紙管４と補強用部材５とを入れることにより、水濡れなどに対しても強い紙製パレットを提供することができる。なお、紙管４は、樹脂などで形成した同様の部材を用いても良いことは自明である。
【産業上の利用可能性】
【００２４】
本発明によれば、プラスチックなどの廃棄物処理に問題を生じる材料を使用せず、それにもかかわらず強度を保ち、組み立て性と汎用性を改善して安価に製作できる紙製パレットを提供出来る。
【図面の簡単な説明】
【００２５】
【図１】本発明の実施例に係る紙製パレットで、紙製パレット本体上面に製品載置部が固定されている状態を示した完成図である。
【図２】図１の紙製パレットに用いられる紙製パレット本体の組み立て方法を説明するための図である。
【図３】図２の紙製パレット本体を作成するための下側紙シートの切断と折り畳みの位置を説明するための図である。
【図４】図２の紙製パレット本体を作成するための上側紙シートの切断と折り畳みの位置を説明するための図である。
【図５】前記製品載置部を作成するための紙シートの切り込みと折り畳みの位置を説明するための図である。
【符号の説明】
【００２６】
１  下側紙シート
２  上側紙シート
４  紙管
５  補強用部材
１０、２０  ハンドフォークのコロの部分を入れる開口
１１  桁形成部
１２  梁部
１３、１４  桁補強部
２１  桁形成部
２２  桁補強部
１００  紙製パレット
１００Ａ  紙製パレット本体
１００Ｂ  製品載置部
【図１】
2004352372.tif 000003
【図２】
2004352372.tif 000004
【図３】
2004352372.tif 000005
【図４】
2004352372.tif 000006
【図５】
2004352372.tif 000007